(57)【要約】【課題】  従来よりも回路構成が簡単で、誤結線を防止しつつ配線作業を容易に行えることができるとともに、回路全体のコストダウンを図ることが可能な電灯点滅回路を提供する。【解決手段】  単一の電灯１が二箇所に配置された点滅スイッチ２ａ，２ｂの操作によって点滅されるものであって、二つの点滅スイッチ２ａ，２ｂの相互間が三線式ケーブル６によって直結され、かつ、一方の点滅スイッチ２ａと商用電源との間、および他方の点滅スイッチ２ｂと電灯１との間がそれぞれ二線式ケーブル４で接続されている。【選択図】  図１
2007311119.tif 000002
【特許請求の範囲】
【請求項１】
単一の電灯が二箇所に配置された点滅スイッチの個別操作によって点滅される電灯点滅回路において、
前記二つの点滅スイッチの相互間が三線式ケーブルによって直結され、かつ、一方の点滅スイッチと商用電源との間、および他方の点滅スイッチと前記電灯との間がそれぞれ二線式ケーブルで接続されていることを特徴とする電灯点滅装置。
【請求項２】
前記各点滅スイッチは、切替接続用の二つの選択接点、両選択接点のいずれか一方と常に電気的に接続される１つの共通接点、および互いに電気的に接続される一対の短絡接点を有し、前記二つの選択接点と一方の短絡接点とが前記三線式ケーブルに、前記共通接点と残りの短絡接点とが前記二線式ケーブルにそれぞれ接続されていることを特徴とする請求項１記載の電灯点滅回路。
【発明の詳細な説明】
【技術分野】
【０００１】
本発明は、単一の電灯が二箇所に配置された点滅スイッチの個別操作によって点滅される電灯点滅回路にする。
【背景技術】
【０００２】
一般に、家屋やビルなどの建物内では、一つの電灯を別々の箇所に配置された点滅スイッチの個別操作によって点滅できるようにすれば便利なことがある。例えば、家屋において、一階と二階とを結ぶ階段の途中の天井部分に電灯が設けられている場合、階段の一階と二階の各踊り場にそれぞれ点滅スイッチを設け、階段を昇る前に階下の点滅スイッチを操作して電灯を点灯し、階段を昇り切った後は、階上の点滅スイッチを操作して電灯を消灯できれば、電灯の点滅のために人が階段を上り下りする手間が省けて便利である。これは階段を降りる場合も同様である。
【０００３】
そこで、従来、図２に示すような構成の電灯点滅回路が広く使用されている（例えば、特許文献１参照）。すなわち、この電灯点滅回路は、一つの電灯１を二箇所に配置された点滅スイッチ２ａ，２ｂの個別操作によって点滅できるもので、電源供給用の二線式ケーブル４から電灯１や点滅スイッチ２ａ，２ｂに至る回路の途中に結線ボックス５が設けられ、この結線ボックス５と二つの点滅スイッチ２ａ，２ｂとの間が三線式ケーブル６で接続されている。なお、７は電灯１が取り付けられる天井または壁面である。
【０００４】
各点滅スイッチ２ａ，２ｂは、同じ構成のものであって、切替接続用の二つの選択接点２１，２２と、両選択接点２１，２２のいずれか一方と常に電気的に接続される１つの共通接点２３とを備えた、いわゆる三路スイッチと称せられるものである。そして、各接点２１，２２，２３に三線式ケーブル６の各線が接続されている。
【０００５】
また、結線ボックス５内においては、二線式ケーブル４と三線式ケーブル６との間および三線式ケーブ  ル６相互間がコネクタn １〜ｎ３を用いて接続されている。したがって、結線ボックス５内には３つの結線箇所が存在している。さらに、電灯１には、二線式ケーブル４の一線と、１つの点滅スイッチ２ｂに接続された三線式ケーブル６の内の共通接点２３に接続された一線とが結線ボックス５内を経由して接続されている。
【０００６】
この従来構成の電灯点滅回路において、図示のごとく、各点滅スイッチ２ａ，２ｂの共通接点２３が一方の選択接点２１側にそれぞれ切替接続されている場合には、商用電源からの電力は電灯１に供給されるので、電灯１が点灯する。また、いずれか一方の点滅スイッチ２ａまたは２ｂの共通接点２３を他の選択接点２２側に切替接続すると、商用電源からの電力が電灯１に供給されなくなるので、電灯１が消灯する。さらに、各点滅スイッチ２ａ，２ｂの共通接点２３が他の選択接点２２側に共に切替接続された状態となった場合には、商用電源からの電力は電灯１に供給されるので、電灯１が点灯する。なお、図示のように、電源端子のマイナス側（接地側）が電灯１に直接に接続され、プラス側がスイッチ側（２１〜２３）に接続されている。
【特許文献１】特開２００３−２８１９５７号公報
【発明の開示】
【発明が解決しようとする課題】
【０００７】
ところで、従来の電灯点滅回路は、電源供給用の二線式ケーブル４を結線ボックス５内に引き入れてコネクタｎ１〜ｎ３でケーブル４，５間を接続するとともに、各点滅スイッチ２ａ，２ｂとの間を三線式ケーブル６で接続し、さらに、電灯１に対して二線式ケーブル４と三線式ケーブル６の各一線を接続する必要があるため、特に結線ボックス５内での配線接続関係が複雑である。
【０００８】
このため、作業者が結線ボックス５内で各ケーブル４，５を誤って結線することがしばしば発生する。また、このような誤結線を防止するためには、作業者は常に細心の注意を払わねばならず、過剰な負担を強いることになる。
【０００９】
さらに、電灯点滅回路を構成するためには、常に専用の結線ボックス５を設けるとともに、コネクタｎ  １〜ｎ３を用いてケーブル４，６を接続する必要があるので、結線ボックス５やコネクタｎ１〜ｎ３自体の費用に加えて、その取り付けにも費用がかかり、余分なコストアップを招来している。
【００１０】
特に、家屋やビルなどの建物内でこのような電灯点滅回路が複数箇所存在するときには、結線ボックス５内での配線関係がさらに複雑化するため、作業者の負担が一層増大する。
【００１１】
本発明は、上記の問題点に鑑みてなされたもので、従来よりも回路構成が簡単で、誤結線を防止しつつ配線作業を容易に行えることができ、作業者の負担を大幅に低減できるとともに、従来のような結線ボックスを設ける必要がなくて、回路全体のコストダウンを図ることが可能な電灯点滅回路を提供することを目的とする。
【課題を解決するための手段】
【００１２】
上記の目的を達成するために、本発明は、単一の電灯が二箇所に配置された点滅スイッチの個別操作によって点滅される電灯点滅回路において、次の構成を採用している。
【００１３】
すなわち、請求項１記載の本発明に係る電灯点滅回路は、前記二つの点滅スイッチの相互間が三線式ケーブルによって直結され、かつ、一方の点滅スイッチと商用電源との間、および他方の点滅スイッチと前記電灯との間がそれぞれ二線式ケーブルで接続されていることを特徴としている。
【００１４】
また、請求項２記載の本発明に係る電灯点滅回路は、請求項１記載の発明の構成において、前記各点滅スイッチは、切替接続用の二つの選択接点、両選択接点のいずれか一方と常に電気的に接続される１つの共通接点、および互いに電気的に接続される一対の短絡接点を有し、前記二つの選択接点と一方の短絡接点とが前記三線式ケーブルに、前記共通接点と残りの短絡接点とが前記二線式ケーブルにそれぞれ接続されていることを特徴としている。
【発明の効果】
【００１５】
請求項１記載の本発明によれば、二つの点滅スイッチの相互間を三線式ケーブルによって直結し、かつ、一方の点滅スイッチと商用電源との間、および他方の点滅スイッチと電灯との間をそれぞれ二線式ケーブルで接続するだけでよい。したがって、従来よりも回路構成が簡単となり、配線作業を容易に行うことができ、かつ誤結線を防止することができる。このため、作業者の負担を大幅に低減することが可能となる。しかも、従来のような結線ボックスを設ける必要がなく、点滅スイッチの構成を若干変更するだけで対処できるので、回路全体として見た場合に大幅なコストダウンを図ることが可能となる。特に、家屋やビルなどの建物内でこのような電灯点滅回路が複数箇所で存在するときは、さらにそのメリットが大きくなる。
【００１６】
また、請求項２記載の発明によれば、点滅スイッチは、従来構成と較べると一対の短絡接点を余分に設けるだけでよい。したがって、点滅スイッチの構成変更も僅かなものであり、余分なコストアップを抑えることができる。
【発明を実施するための最良の形態】
【００１７】
図１は本発明の実施の形態における電灯点滅回路の回路構成図であり、図２に示した従来技術と対応または相当する構成部分に同一の符号を付す。
【００１８】
この実施の形態の電灯点滅回路は、単一の電灯１が二箇所に配置された点滅スイッチ２ａ，２ｂの個別操作によって点滅されるものであって、二つの点滅スイッチ２ａ，２ｂの相互間が三線式ケーブル６によって直結され、かつ、一方の点滅スイッチ２ａと商用電源との間、および他方の点滅スイッチ２ｂと電灯１との間がそれぞれ二線式ケーブル４で接続されている。なお、７は電灯１が取り付けられる天井または壁面である。
【００１９】
ここで、各点滅スイッチ２ａ，２ｂは、同じ構成のものであって、切替接続用の二つの選択接点２１，２２、両選択接点２１，２２のいずれか一方と常に電気的に接続される１つの共通接点２３、および互いに電気的に接続される一対の短絡接点２４，２５を有している。そして、二つの選択接点２１，２２と一方の短絡接点２４とが三線式ケーブル６に、共通接点２３と他方の短絡接点２５とが二線式ケーブル４にそれぞれ接続されている。
【００２０】
上記構成の電灯点滅回路において、図示のごとく、各点滅スイッチ２ａ，２ｂの共通接点２３が一方の選択接点２１側にそれぞれ切替接続されている場合には、商用電源からの電力は電灯１に供給されるので、電灯１が点灯する。また、いずれか一方の点滅スイッチ２ａまたは２ｂの共通接点２３を他の選択接点２２側に切替接続すると、商用電源からの電力が電灯１に供給されなくなるので、電灯１が消灯する。さらに、各点滅スイッチ２ａ，２ｂの共通接点２３が他の選択接点２２側に共に切替接続された状態となった場合には、商用電源からの電力は電灯１に供給されるので、電灯１が点灯する。なお、図示のように、電源端子のマイナス側（接地側）が電灯１に直接的に接続され、プラス側がスイッチ側（２１〜２３）に接続されている。
【００２１】
このように、この実施の形態の電灯点滅回路は、従来と同様、単一の電灯１が二箇所に配置された点滅スイッチ２ａ，２ｂの個別操作によって点滅される。しかも、この場合、二つの点滅スイッチ２ａ，２ｂの相互間を三線式ケーブル６によって直結し、かつ、一方の点滅スイッチ２ａと商用電源との間、および他方の点滅スイッチ２ｂと電灯１との間をそれぞれ二線式ケーブル４で接続するだけでよく、従来のような結線ボックスを設ける必要がない。このため、従来よりも回路構成が簡素化されて配線作業を容易に行うことができ、かつ誤結線を防止することができる。これにより、作業者の配線時の負担を大幅に低減することが可能となる。しかも、点滅スイッチ２ａ，２ｂの構成を若干変更するだけで対処でき、結線ボックスを設ける必要がないために、回路全体として見た場合にコストダウンを図ることが可能となる。特に、家屋やビルなどの建物内でこのような電灯点滅回路が複数箇所で存在するときは、さらにそのメリットが大きくなる。
【００２２】
また、各点滅スイッチ２ａ，２ｂは、従来構成と較べると、互いに電気的に接続される一対の短絡接点２４，２５を余分に設けるだけでよい。したがって、点滅スイッチ２ａ，２ｂ自体の構成変更も僅かなものであり、余分なコストアップを抑えることができる。
【図面の簡単な説明】
【００２３】
【図１】本発明の実施の形態における電灯点滅回路の回路構成図である。
【図２】従来の電灯点滅回路の回路構成図である。
【符号の説明】
【００２４】
１            電灯
２ａ，２ｂ    点滅スイッチ
２１，２２    選択接点
２３          共通接点
２４，２５    短絡接点
４            二線式ケーブル
６            三線式ケーブル
【図１】
2007311119.tif 000003
【図２】
2007311119.tif 000004